(57)【要約】【課題】状況に応じたセキュリティ設定の変更が可能なセキュリティ管理システム、セキュリティ管理装置、及びセキュリティ管理方法を提供することを目的とする。【解決手段】本発明のセキュリティ管理システムは、対象１２に付される無線タグ２８と、無線タグと所定の通信周期で通信する無線リーダー２４と、無線リーダー２４を備えたセキュリティ管理装置１１と、から構成され、セキュリティ管理装置１１は、無線タグ２８と無線リーダー２４との通信の状態を監視するとともに通信異常を検出する監視手段２６と、監視手段２６によって通信異常が検出された場合に警報を発する警報手段２７と、無線リーダー２４及び監視手段２６に電源を供給する電源部２３と、通信周期の設定変更が可能な周期変更手段２５と、を具備してなることを特徴とする。【選択図】図２
2010224932.tif 000002
【特許請求の範囲】
【請求項１】
対象に付される無線タグと、
前記無線タグと所定の通信周期で通信する無線リーダーと、
前記無線リーダーを備えたセキュリティ管理装置と、から構成され、
前記セキュリティ管理装置は、前記無線タグと前記無線リーダーとの通信の状態を監視するとともに通信異常を検出する監視手段と、
前記監視手段によって通信異常が検出された場合に警報を発する警報手段と、
前記無線リーダー及び前記監視手段に電源を供給する電源部と、
前記通信周期の設定変更が可能な周期変更手段と、を具備してなることを特徴とするセキュリティ管理システム。
【請求項２】
前記無線タグはＲＦＩＤタグであり、前記無線リーダーはＲＦＩＤリーダーであることを特徴とする請求項１に記載のセキュリティ管理システム。
【請求項３】
前記ＲＦＩＤタグはパッシブ型ＲＦＩＤタグであることを特徴とする請求項２に記載のセキュリティ管理システム。
【請求項４】
前記セキュリティ管理装置は、可搬式情報通信機器であることを特徴とする請求項１〜３の何れか一項に記載のセキュリティ管理システム。
【請求項５】
前記周期変更手段は、前記セキュリティ装置の振動を感知する振動センサーを備え、この振動センサーの検出信号によって周期を変更することを特徴とする請求項１〜４の何れか一項に記載のセキュリティ管理システム。
【請求項６】
前記振動センサーにより、所定以上の振動が検出された場合は周期を短くし、検出されない場合には周期を長くすることを特徴とする請求項５に記載のセキュリティ管理システム。
【請求項７】
前記警報手段は、前記警報としてブザー音、着信音、着信発光、着信振動の少なくともいずれか一つを発することを特徴とする請求項１〜６の何れか一項に記載のセキュリティ管理システム。
【請求項８】
前記無線タグは、可搬式機器に装備されていることを特徴とする請求項１〜７に記載のセキュリティ管理装置。
【請求項９】
対象に付される無線タグと所定の通信周期で無線通信する無線リーダーと、
前記通信の状態を監視するとともに通信異常を検出する監視手段と、
前記監視手段によって通信異常が検出された場合に警報を発する警報手段と、
前記無線リーダー及び前記監視手段に電源を供給する電源部と、
前記通信周期の設定変更が可能な周期変更手段とを具備してなることを特徴とするセキュリティ管理装置。
【請求項１０】
対象に付される無線タグと、前記無線タグと所定の通信周期で通信する無線リーダーと、前記無線リーダーを備えたセキュリティ管理装置と、から構成されるセキュリティ管理システムのセキュリティ管理方法であって、
前記セキュリティ管理装置が、
周期変更手段によって前記通信周期を設定するステップと、
前記無線タグと前記無線リーダーとの通信状態を監視するステップと、
前記通信状態が正常であれば前記通信を継続し、前記通信状態が異常であれば通信異常として検出するステップと、
前記通信異常が検出された場合に警報を発するステップと、を具備してなることを特徴とするセキュリティ管理方法。
【請求項１１】
前記通信周期を設定するステップは、
振動センサーによって前記セキュリティ装置の振動を感知するステップと、
感知された前記振動の有無によって前記通信周期を自動設定するステップと、を含むことを特徴とする請求項１０に記載のセキュリティ管理方法。
【発明の詳細な説明】
【技術分野】
【０００１】
本発明は、無線通信によって物品の盗難や紛失を未然に防ぐためのセキュリティ管理システム、セキュリティ管理装置、及びセキュリティ管理方法に関し、特に、ＲＦＩＤ（Ｒａｄｉｏ  Ｆｒｅｑｕｅｎｃｙ  Ｉｄｅｎｔｉｆｉｃａｔｉｏｎ）通信を用いたセキュリティ管理システム、セキュリティ管理装置、及びセキュリティ管理方法に関する。
【背景技術】
【０００２】
一般に、物品は盗難や紛失の危険性があるが、ＵＳＢメモリや携帯電話などの携帯機器等は、特に盗難や紛失の危険性が高い。
従来は、携帯機器等とストラップなどの付属品を物理的に接続し身に付けておくことで紛失を防止していた。しかし、ストラップなどの付属品を外して他の情報機器等に接続して使用した際にそのまま放置してしまった場合や、ストラップなどの付属品で身に付けていたにも関わらず何らかの外的要因により外れてしまった場合に紛失する可能性は十分にあり、その結果、機密情報の流出等の問題が多発している。
また、携帯機器の盗難及び紛失に気付いたときには、紛失した時間や場所を正確に特定できず探し出すことは困難となり、結果として機密情報の流出等セキュリティ上の課題があった。
【０００３】
そこで、ＩＣタグやＲＦＩＤタグなどを物品に付し、無線通信によって物品の管理を行なうセキュリティ管理システム、セキュリティ管理装置、及びセキュリティ管理方法などが開発されている。
例えば、特許文献１には、無線通信によりＩＣタグを検知するＩＣタグ検知装置、及び当該ＩＣタグ検知装置を備えた携帯電話機が開示されている。
また、特許文献２には、ＩＣタグを用いたセキュリティーシステム及びそのプログラムが開示されている。
また、特許文献３には、アンチコリジョン機能をもったＲＦＩＤタグリーダとＢｌｕｅｔｏｏｔｈ（登録商標）等の無線通信部を備えた携帯情報端末、その携帯情報端末と無線通信する通信ユニット、及び、それら携帯情報端末及び通信ユニットを備えた携行品確認システムが開示されている。
また、特許文献４には、携行品等の物品と共に持ち運ばれ当該物品に付された無線タグに基づいて当該物品の存在を監視する監視装置、及びそれを用いた物品監視システムが開示されている。
【先行技術文献】
【特許文献】
【０００４】
【特許文献１】特開２００４−１３７８９号公報
【特許文献２】特開２００４−２８７７１３号公報
【特許文献３】特開２００７−３１６９２８号公報
【特許文献４】特開２００８−２３４１１５号公報
【発明の概要】
【発明が解決しようとする課題】
【０００５】
しかしながら、これらの従来技術では通信周期が固定されており、例えば、移動中などの携帯機器を紛失する確率が高い場合や、当該携帯機器をデスクで使用中などの紛失する確率の低い場合など、状況に応じてセキュリティ設定を変更することは困難であった。そのため、セキュリティ性の向上、電源消費及びバッテリー節約などの面で課題があった。
【０００６】
本発明は上記課題に鑑みてなされたものであり、携帯機器とストラップなどの付属品が物理的に離れている場合でもセキュリティ性が高く、電源消費を抑制できるとともに、状況に応じたセキュリティ設定の変更が可能なセキュリティ管理システム、セキュリティ管理装置、及びセキュリティ管理方法を提供することを目的とする。
【課題を解決するための手段】
【０００７】
上記の目的を達成するために、本発明者らは鋭意検討した結果、セキュリティ管理装置に周期変更手段を備え、周期変更手段によって通信周期の設定変更を可能とすることで、上記課題を解決することを見出した。すなわち、本発明は以下の構成を採用する。
【０００８】
本発明のセキュリティ管理システムは、対象に付される無線タグと、前記無線タグと所定の通信周期で通信する無線リーダーと、前記無線リーダーを備えたセキュリティ管理装置と、から構成され、前記セキュリティ管理装置は、前記無線タグと前記無線リーダーとの通信の状態を監視するとともに通信異常を検出する監視手段と、前記監視手段によって通信異常が検出された場合に警報を発する警報手段と、前記無線リーダー及び前記監視手段に電源を供給する電源部と、前記通信周期の設定変更が可能な周期変更手段と、を具備してなることを特徴とする。
【０００９】
また、本発明のセキュリティ管理システムにおいては、前記無線タグはＲＦＩＤタグであり、前記無線リーダーはＲＦＩＤリーダーであることが好ましい。
【００１０】
また、本発明のセキュリティ管理システムにおいては、前記ＲＦＩＤタグはパッシブ型ＲＦＩＤタグであることが好ましい。
【００１１】
また、本発明のセキュリティ管理システムにおいては、前記セキュリティ管理装置は、可搬式情報通信機器であることが好ましい。
【００１２】
また、本発明のセキュリティ管理システムにおいては、前記周期変更手段は、前記セキュリティ装置の振動を感知する振動センサーを備え、この振動センサーの検出信号によって周期を変更することが好ましい。
【００１３】
また、本発明のセキュリティ管理システムにおいては、前記振動センサーにより、所定以上の振動が検出された場合は周期を短くし、検出されない場合には周期を長くすることが好ましい。
【００１４】
また、本発明のセキュリティ管理システムにおいては、前記警報手段は、前記警報としてブザー音、着信音、着信発光、着信振動の少なくともいずれか一つを発することが好ましい。
【００１５】
また、本発明のセキュリティ管理システムにおいては、前記無線タグは、可搬式機器に装備されていることが好ましい。
【００１６】
本発明のセキュリティ管理装置は、対象に付される無線タグと所定の通信周期で通信する無線リーダーと、前記通信の状態を監視するとともに通信異常を検出する監視手段と、前記監視手段によって通信異常が検出された場合に警報を発する警報手段と、前記無線リーダー及び前記監視手段に電源を供給する電源部と、前記通信周期の設定変更が可能な周期変更手段とを具備してなることを特徴とする。
【００１７】
本発明のセキュリティ管理方法は、対象に付される無線タグと、前記無線タグと所定の通信周期で通信する無線リーダーと、前記無線リーダーを備えたセキュリティ管理装置と、から構成されるセキュリティ管理システムのセキュリティ管理方法であって、前記セキュリティ管理装置が、周期変更手段によって前記通信周期を設定するステップと、前記無線タグと前記無線リーダーとの通信状態を監視するステップと、前記通信状態が正常であれば前記通信を継続し、前記通信状態が異常であれば通信異常として検出するステップと、前記通信異常が検出された場合に警報を発するステップと、を具備してなることを特徴とする。
【００１８】
また、本発明のセキュリティ管理方法においては、前記通信周期を設定するステップは、振動センサーによって前記セキュリティ装置の振動の有無を感知するステップと、感知された前記振動の有無によって前記通信周期を自動設定するステップと、を含むことが好ましい。
【発明の効果】
【００１９】
本発明によれば、セキュリティ管理システムにおいて、セキュリティ管理装置が、無線タグと無線リーダーとの通信の状態を監視するとともに通信異常を検出する監視手段と、監視手段によって通信異常が検出された場合に警報を発する警報手段と、前記無線リーダー及び前記監視手段に電源を供給する電源部と、通信周期の設定変更が可能な周期変更手段と、を具備してなることにより、警報によって対象の紛失または盗難の危険性に気付くことができ、それらを未然に防ぐことが可能であるとともに、周期変更手段によって通信周期をユーザーが設定できるため、状況に応じたセキュリティ設定の調整が可能である。そのため、セキュリティ管理の必要性が低いときは通信周期を短くすることで、無線リーダーや監視手段を間欠動作でき、セキュリティ管理装置の電源消費を抑制できバッテリーの節約が可能となる。
【００２０】
また、本発明のセキュリティ管理システムによれば、無線タグはＲＦＩＤタグであり、無線リーダーはＲＦＩＤリーダーであることにより、ＲＦＩＤ通信によってセキュリティ管理が行なえるため、従来と比較して情報の更新や追加が簡便である上、複数固体を一括認識することが可能となる。
【００２１】
また、本発明のセキュリティ管理システムによれば、ＲＦＩＤタグはパッシブ型ＲＦＩＤタグであることにより、タグが付される対象には電源を搭載する必要がないため、対象となる機器や装置等のサイズを縮小・軽量化できるとともに製造コストを削減できる。
【００２２】
また、本発明のセキュリティ管理システムによれば、セキュリティ管理装置は、可搬式情報通信機器であることにより、ユーザーが常に携帯することができ、セキュリティ管理が容易となる。
【００２３】
また、本発明のセキュリティ管理システムによれば、周期変更手段は、セキュリティ装置の振動を感知する振動センサーを備え、この振動センサーの検出信号によって周期を変更することで、感知された振動の有無によって、セキュリティ管理装置が移動中であるか静止中であるかを判断でき、状況に応じたセキュリティ設定を自動的に行なうことが可能となる。そのため、手動による設定変更の煩わしさもなく、無線リーダー及び監視手段を間欠動作させることができ、電源消費を抑制できバッテリーの節約が可能となる。
【００２４】
また、本発明のセキュリティ管理システムによれば、振動センサーにより、所定以上の振動が検出された場合は周期を短くし、検出されない場合には周期を長くすることで、状況に応じたセキュリティ設定を自動的に行なうことができ、手動による設定変更の煩わしさもなく、無線リーダー及び監視手段を間欠動作させることができ、電源消費を抑制できバッテリーの節約が可能となる。
【図面の簡単な説明】
【００２５】
【図１】本発明の第１の実施形態に係るセキュリティ管理システムの構成を示す概略図である。
【図２】本発明の第１の実施形態におけるＵＳＢメモリ管理機器及びＵＳＢメモリ本体部の構成を示すブロック図である。
【図３】本発明の第１の実施形態におけるＵＳＢメモリ管理機器による処理動作の流れを示すフローチャート図である。
【図４】本発明の第２の実施形態における携帯電話及びＵＳＢメモリ本体部の構成を示すブロック図である。
【図５】本発明の第３の実施形態におけるＵＳＢメモリ管理機器及びＵＳＢメモリ本体部の構成を示すブロック図である。
【図６】本発明の第３の実施形態におけるＵＳＢメモリ管理機器による処理動作の流れを示すフローチャート図である。
【発明を実施するための形態】
【００２６】
以下、本発明の実施の形態について、図面を参照しながら詳細に説明する。
本発明のセキュリティ管理システムは、対象に付される無線タグと、前記無線タグと所定の通信周期で通信する無線リーダーと、前記無線リーダーを備えたセキュリティ管理装置と、から構成され、前記セキュリティ管理装置は、前記無線タグと前記無線リーダーとの通信の状態を監視するとともに通信異常を検出する監視手段と、前記監視手段によって通信異常が検出された場合に警報を発する警報手段と、前記無線リーダー及び前記監視手段に電源を供給する電源部と、前記通信周期の設定変更が可能な周期変更手段と、を具備してなることを特徴とする。
【００２７】
《第１の実施形態》
本発明の第１の実施形態であるセキュリティ管理システムについて説明する。
【００２８】
「セキュリティ管理システム」
図１は、本発明の第１の実施形態であるセキュリティ管理システムの概略構成を示す図である。
図１に示すように、本発明の第１の実施形態であるセキュリティ管理システムは、ＵＳＢメモリ管理機器（セキュリティ管理装置）１１が、対象であるＵＳＢメモリ本体部１２をＲＦＩＤ通信（通信）によってセキュリティ管理を行なう。
ＵＳＢメモリ管理機器１１は、通信エリア１３においてＵＳＢメモリ本体部１２と通信が可能である。図中のｒは通信可能エリア１３の半径を示し、ｄはＵＳＢメモリ管理機器１１とＵＳＢメモリ本体部１２間の距離を示す。
【００２９】
次に、本発明の第１の実施形態であるセキュリティ管理システムにおける主要な構成要素について詳細に説明する。図２は、本発明の第１の実施形態におけるＵＳＢメモリ管理機器１１及びＵＳＢメモリ本体部１２の構成を示すブロック図である。
【００３０】
「ＵＳＢメモリ管理機器（セキュリティ管理装置）」
図２に示すように、ＵＳＢメモリ管理機器１１は、ＵＳＢメモリ本体部１２に内蔵されたＲＦＩＤタグ（無線タグ）２８と所定の通信周期でＲＦＩＤ通信するＲＦＩＤリーダー（無線リーダー）２４と、ＲＦＩＤタグ２８とＲＦＩＤリーダー２４間におけるＲＦＩＤ通信の状態を監視するとともに通信異常を検出する通信状態監視部（監視手段）２６と、通信状態監視部２６によって通信異常が検出された場合にブザー音（警報）を発するブザー回路部（警報手段）２７と、ＲＦＩＤリーダー２４及びブザー回路部２７に電源を供給する電源部２３と、ＲＦＩＤ通信の通信周期を設定変更することが可能なタイマー回路部（周期変更手段）２５と、から概略構成されている。
【００３１】
ＵＳＢメモリ管理機器１１は、特に限定されるものではないが、例えば、ＵＳＢメモリ本体部１２のコネクタに装着するキャップ部及びストラップ部等の付属品にＲＦＩＤリーダー２４を装備したものであってもよい。あるいは、それらの付属品にＵＳＢメモリ管理機器１１を装着してもよい。また、ＵＳＢメモリ管理機器１１には、当該システムの各種動作制御を行なうためのプログラムが組み込まれていてもよい。
【００３２】
ＲＦＩＤリーダー２４は、ＵＳＢメモリ本体部１２に内蔵されたＲＦＩＤタグ２８と所定の通信周期でＲＦＩＤ通信する。なお、このときの通信周期は、タイマー回路部２５によって設定される。
【００３３】
無線リーダーとしてＲＦＩＤリーダーを用いることで、ＲＦＩＤ通信によってセキュリティ管理が行なえるため、従来と比較して情報の更新や追加が簡便である上、複数固体を一括認識することが可能であり、ＵＳＢメモリ本体部１２の他にも、複数のＲＦＩＤタグをそれぞれ複数の対象に付して、それらの対象のセキュリティ管理を行うことができる。
【００３４】
また、ＲＦＩＤリーダー２４の代わりに、その他の無線電波によって通信する無線リーダーを用いてもよい。その場合、ＵＳＢメモリ本体部１２にいては、ＲＦＩＤタグ２８の代わりに、使用される無線電波の種類に対応した無線タグを用いる。
【００３５】
タイマー回路部２５は、ＲＦＩＤタグ２８とＲＦＩＤリーダー２４間におけるＲＦＩＤ通信の通信周期を設定変更することが可能である。タイマー回路部２５におけるタイマー値の設定は、ユーザーによって適宜設定できるものとする。そのため、状況に応じたセキュリティ設定の調整が可能である。
【００３６】
例えば、ＵＳＢメモリ本体部１２を使用中のときは通信周期を長めに設定し、移動中のときは通信周期を短めに設定することができる。例えば、ＵＳＢメモリ本体部１２を使用中のときはタイマー値を１分に設定し、移動中はタイマー値を１秒に設定するなどユーザーが適切に設定変更することにより、ＲＦＩＤリーダー２４及び通信状態監視部２６を間欠動作させて、電源消費を抑制できバッテリーの節約が可能となる。
【００３７】
このように、状況に応じたセキュリティ設定の変更が可能であることで、セキュリティ管理の必要性が低いときは通信周期を短くすることができ、ＲＦＩＤリーダー２４及び通信状態監視部２６を間欠動作させて、電源消費を抑制できバッテリーの節約が可能となる。
【００３８】
通信状態監視部２６は、ＲＦＩＤタグ２８とＲＦＩＤリーダー２４間におけるＲＦＩＤ通信の状態を監視するとともに通信異常を検出する。通信状態監視部２６は、ＲＦＩＤタグ２８とＲＦＩＤリーダー２４間におけるＲＦＩＤ通信の状態を常に監視している。そして、ＲＦＩＤ通信が可能な状態かどうかを判断する。
【００３９】
ＵＳＢメモリ管理機器１１とＵＳＢメモリ本体部１２の距離ｄが通信エリア１３内にある場合（ｄ≦ｒ）は、ＲＦＩＤ通信が可能な状態であると判断し、継続して通信を行わせ、一定の周期で同様の通信を繰り返す。
一方、ＵＳＢメモリ管理機器１１とＵＳＢメモリ本体部１２の距離ｄが、通信エリア１３外となった場合（ｄ＞ｒ）は、ＲＦＩＤ通信が不可能な状態であると判断し、通信異常として検出してブザー回路部２７を作動させる。
【００４０】
ブザー回路部２７は、通信状態監視部２６が通信異常を検出した場合に作動してブザー音を発する。警報としてブザー音が発せられることにより、ユーザーはＵＳＢメモリ本体部１２の紛失または盗難の危険性に気付くことができ、それらを未然に防ぐことが可能となる。
【００４１】
電源部２３は、ＲＦＩＤリーダー２４及びブザー回路部２７に電源を供給してこれらを駆動させる。電源部２３は、例えば、一般的な電池、バッテリー等を用いればよい。
【００４２】
「ＵＳＢメモリ本体部（対象）」
ＵＳＢメモリ本体部１２は、ＲＦＩＤタグ２８を内蔵している。ＲＦＩＤタグ２８は、ＵＳＢメモリ管理機器１１に備えられたＲＦＩＤリーダー２４によって所定の通信周期で通信される。なお、このときの通信周期は、ＵＳＢメモリ管理機器１１のタイマー回路部２５によって設定されたものである。
【００４３】
無線リーダーとしてＲＦＩＤタグを用いることで、ＵＳＢメモリ管理機器１１とのＲＦＩＤ通信によってセキュリティ管理が行なえるため、従来と比較して情報の更新や追加が簡便である上、複数固体が一括認識されることが可能であり、このＵＳＢメモリ本体部１２の他にも、それぞれにＲＦＩＤタグが付された複数の対象がセキュリティ管理されることができる。
【００４４】
ＲＦＩＤタグは、特に限定されるものではないが、電源を必要としないパッシブ型ＲＦＩＤタグが好ましい。パッシブ型ＲＦＩＤタグであることで、タグが付される対象には電源を搭載する必要がないため、対象となる機器や装置等のサイズを縮小・軽量化できるとともに製造コストを削減できる。
【００４５】
また、ＲＦＩＤタグ２８の代わりに、その他の無線電波によって通信する無線タグを用いてもよい。その場合、ＵＳＢメモリ管理機器１１においては、ＲＦＩＤリーダー２４の代わりに、使用される無線電波の種類に対応した無線リーダーを用いる。
【００４６】
「セキュリティ管理方法」
続いて、第１の実施形態であるセキュリティ管理システムおけるセキュリティ管理方法の処理動作について説明する。図３は、本実施形態におけるＵＳＢメモリ管理機器による処理動作の流れを示すフローチャート図である。
【００４７】
図３に示すように、ＵＳＢメモリ管理機器１１の電源を投入する（ステップＳ３１）。その後、タイマー回路部２５でＲＦＩＤの通信周期を設定し（ステップＳ３２）、一定周期のもとにＵＳＢメモリ本体管理機器１１に内蔵されているＲＦＩＤリーダー２４からＵＳＢメモリ本体部１２に内蔵されているＲＦＩＤタグ２８に送信を始め、ＲＦＩＤ通信が開始される（ステップＳ３３）。
【００４８】
このとき、ＲＦＩＤタグ２８とＲＦＩＤリーダー２４間におけるＲＦＩＤ通信の通信状態は、通信状態監視部２６によって常に監視しているものとする（ステップＳ３４）。次に、ステップＳ３５で、ＲＦＩＤ通信が可能な状態かどうかを判断する。
【００４９】
ステップＳ３５で、ＵＳＢメモリ管理機器１１とＵＳＢメモリ本体部１２の距離ｄが通信エリア１３内にある場合（ｄ≦ｒ）は、ＲＦＩＤ通信が可能な状態であると判断し、継続して通信を行い、ステップＳ３３に戻り一定の周期で同様の通信が繰り返される。
【００５０】
一方、ステップＳ３５で、ＵＳＢメモリ管理機器１１とＵＳＢメモリ本体部１２の距離ｄが通信エリア１３外となった場合（ｄ＞ｒ）は、ＲＦＩＤ通信が不可能な状態であると判断し、通信異常として検出する。そして、ステップＳ３６に移行してブザー回路部２７が作動し、ブザー音を発することにより紛失または盗難を未然に防ぐことが可能となる。
【００５１】
ただし、タイマー値の設定はユーザーによって適宜設定できるものとする。例えば、ＵＳＢメモリ本体部１２を使用中のときは通信周期を長めに設定し、移動中のときは通信周期を短めに設定することができる。例えば、ＵＳＢメモリ本体部１２を使用中のときはタイマー値を１分に設定し、移動中はタイマー値を１秒に設定するなどユーザーが適切に設定変更することができる。
【００５２】
このように、状況に応じたセキュリティ設定の変更が可能であることで、セキュリティ管理の必要性が低いときは通信周期を短くすることができ、ＲＦＩＤリーダー２４及び通信状態監視部２６を間欠動作させて、電源消費を抑制できバッテリーの節約が可能となる。
【００５３】
《第２の実施形態》
次に、本発明の第２の実施形態であるセキュリティ管理システムについて説明する。
【００５４】
「セキュリティ管理システム」
本発明に係るセキュリティ管理システムは、例えば、図１の構成図において、ＵＳＢメモリ管理機器１１を、携帯電話機などの可搬式情報通信機器としても同様の効果が得られる。すなわち、携帯電話機などの可搬式情報通信機器をセキュリティ管理装置として用いることができる。そこで、本発明の第２の実施形態では、携帯電話機をセキュリティ管理装置として用いる場合について説明する。
【００５５】
図４は、本発明の第２の実施形態における携帯電話機４１及びＵＳＢメモリ本体部４２の構成を示すブロック図である。図４に示すように、本発明の第２の実施形態であるセキュリティ管理システムは、携帯電話機（セキュリティ管理装置）４１が、対象であるＵＳＢメモリ本体部４２をＲＦＩＤ通信によってセキュリティ管理を行なう。
【００５６】
「携帯電話機（セキュリティ管理装置）」
携帯電話機４１は、ＵＳＢメモリ本体部４２に内蔵されたＲＦＩＤタグ（無線タグ）４８と所定の通信周期でＲＦＩＤ通信するＲＦＩＤリーダー（無線リーダー）４４と、ＲＦＩＤタグ４８とＲＦＩＤリーダー４４間におけるＲＦＩＤ通信の状態を監視するとともに、それらの間における通信異常を検出する通信状態監視部（監視手段）４６と、通信状態監視部４６によって通信異常が検出された場合にブザー音（警報）を発するブザー回路部（警報手段）４７と、ＲＦＩＤリーダー４４及びブザー回路部４７に電源を供給して駆動させる電源部４３と、ＲＦＩＤ通信の通信周期を設定変更することが可能なタイマー回路部（周期変更手段）４５と、通信状態監視部４６で通信異常を検出した際に携帯電話機４１の表示部に出力する状態表示部（表示手段）４９と、から概略構成されている。
【００５７】
携帯電話機４１は、通常の送受信機能を搭載する携帯電話機（ＰＨＳ機も含む）であり、表示部と操作部を備えている。この携帯電話機４１は、当該システムを利用するためのアプリケーションプログラムによって各種動作制御を行なうことができる。アプリケーションプログラムは、例えば、インターネット網を介して接続されるＷｅｂサイト上からダウンロードするものであってもよいし、携帯電話機４１の工場出荷時に携帯電話機４１に予め組み込むものであってもよい。
【００５８】
また、携帯電話機４１と同様に、ＰＤＡ、ノートＰＣ、又は通信機能付き腕時計など、その他の可搬式情報通信機器を、当該システムのセキュリティ管理装置として用いてもよい。セキュリティ管理装置が可搬式情報通信機器であることにより、ユーザーは常にセキュリティ管理装置を携帯することができ、セキュリティ管理が容易となる。
【００５９】
状態表示部４９は、携帯電話機４１に備えられている液晶などのディスプレイからなる表示部に出力し、ＲＦＩＤタグ４８とＲＦＩＤリーダー４４間におけるＲＦＩＤ通信の通信状態を表示部に表示させる。
【００６０】
電源部４３は、ＲＦＩＤリーダー４４及びブザー回路部４７に電源を供給してこれらを駆動させる。例えば、携帯電話機４１に装備されるバッテリー等を用いることができる。
【００６１】
ブザー回路部４７は、通信状態監視部４６が通信異常を検出した場合に作動してブザー音を発する。警報としてブザー音が発せられることにより、ユーザーはＵＳＢメモリ本体部４２の紛失または盗難の危険性に気付くことができ、それらを未然に防ぐことが可能となる。
また、ブザー回路部４７の代わりに、着信音、着信発光、着信振動などからなる警報を発するその他の警報手段であってもよい。
【００６２】
携帯電話機４１におけるその他の構成要素については、第１の実施形態のＵＳＢメモリ管理機器１１における構成要素と同様である。
【００６３】
「ＵＳＢメモリ本体部（対象）」
ＵＳＢメモリ本体部４２は、ＲＦＩＤタグ４８を内蔵している。ＲＦＩＤタグ４８は、携帯電話機４１に備えられたＲＦＩＤリーダー４４によって所定の通信周期で通信される。なお、このときの通信周期は、タイマー回路部４５によって設定される。
【００６４】
無線リーダーとしてＲＦＩＤタグを用いることで、携帯電話機４１とのＲＦＩＤ通信によってセキュリティ管理が行なわれるため、従来と比較して情報の更新や追加が簡便である上、複数固体が一括認識されることが可能であり、このＵＳＢメモリ本体部４２の他にも、それぞれにＲＦＩＤタグが付された複数の対象がセキュリティ管理されることができる。
【００６５】
ＲＦＩＤタグは、特に限定されるものではないが、電源を必要としないパッシブ型ＲＦＩＤタグが好ましい。パッシブ型ＲＦＩＤタグであることで、タグが付される対象には電源を搭載する必要がないため、対象となる機器や装置等のサイズを縮小・軽量化できるとともに製造コストを削減できる。
【００６６】
また、ＲＦＩＤタグ４８の代わりに、その他の無線電波によって通信する無線タグを用いてもよい。その場合、携帯電話機４１においては、ＲＦＩＤリーダー４４の代わりに、使用される無線電波の種類に対応した無線リーダーを用いる。
【００６７】
「セキュリティ管理方法」
本実施形態のセキュリティ管理システムにおけるセキュリティ管理方法の処理動作については、第１の実施形態で説明した内容と同様であるが、ステップＳ３５で通信異常を検出した場合に、ステップＳ３６でブザー回路４７が作動してブザー音を発するともに、状態表示部４９が作動して携帯電話機４１のディスプレイに通信状態を出力表示するという機能を付加している。
また、ステップＳ３６では、ブザー音の代わりに、着信音、着信発光、着信振動などからなる警報を発してもよい。
【００６８】
このように、本実施例形態では、第１の実施形態のセキュリティ管理システムにおけるセキュリティ管理方法の効果に加え、通信異常時にブザー音による通知とディスプレイ表示による通知の２種類の通知が可能であるため、聴覚と視覚両方で紛失したことに気付くことができ、セキュリティ向上の効果が得られる。
【００６９】
《第３の実施形態》
次に、本発明の第３の実施形態であるセキュリティ管理システムについて説明する。
【００７０】
「セキュリティ管理システム」
本発明の第３の実施形態であるセキュリティ管理システムは、第１の実施形態におけるセキュリティ管理システムの構成と同様であるが、ＵＳＢメモリ管理機器のタイマー回路部が振動センサーを備えている。
図５は、本発明の第３の実施形態におけるＵＳＢメモリ管理機器及びＵＳＢメモリ本体部の構成を示すブロック図である。
【００７１】
「ＵＳＢメモリ管理機器（セキュリティ管理装置）」
図５に示すように、ＵＳＢメモリ管理機器５１は、ＵＳＢメモリ本体部５２に内蔵されたＲＦＩＤタグ（無線タグ）５８と所定の通信周期でＲＦＩＤ通信するＲＦＩＤリーダー（無線リーダー）５４と、ＲＦＩＤタグ５８とＲＦＩＤリーダー５４間におけるＲＦＩＤ通信の状態を監視するとともに通信異常を検出する通信状態監視部（監視手段）５６と、通信状態監視部５６によって通信異常が検出された場合にブザー音（警報）を発するブザー回路部（警報手段）５７と、ＲＦＩＤリーダー５４及びブザー回路部５７に電源を供給する電源部５３と、ＲＦＩＤ通信の通信周期を設定変更することが可能なタイマー回路部（周期変更手段）５５と、タイマー回路部５５に備えられた振動センサー５９と、から概略構成されている。
【００７２】
タイマー回路部５５は、ＲＦＩＤタグ５８とＲＦＩＤリーダー５４間におけるＲＦＩＤ通信の通信周期を設定変更することが可能である。
また、タイマー回路部５５は、振動センサー５９を備え、この振動センサーの検出信号によって周期を変更する。タイマー回路部５５におけるタイマー値の設定は、振動センサー５９によって感知された振動の有無で決定される。そのため、状況に応じたセキュリティ設定の調整が可能である。
【００７３】
振動センサー５９は、ＵＳＢメモリ管理機器５１の振動の有無を感知し、周期を変更するための検出信号をタイマー回路に送信する。このようにすることで、感知した振動の有無によって、ＵＳＢメモリ管理機器５１が移動中であるか静止中であるかを判断でき、状況に応じたセキュリティ設定を自動的に行なうことが可能となる。
【００７４】
振動センサー５９により、所定以上の振動が検出された場合は周期を短くし、検出されない場合には周期を長くすることが好ましい。例えば、ＵＳＢメモリ本体部５２が使用中であると判断したときはタイマー値を１分に設定し、移動中であると判断したときはタイマー値を１秒に設定するなど、ユーザーが適切に設定変更することができるとともに、通信周期の自動設定が可能である。
そのため、手動による設定変更の煩わしさもなく、ＲＦＩＤリーダー５４及び通信状態監視部５６を間欠動作させることができ、電源消費を抑制できバッテリーの節約が可能となる。
【００７５】
ＵＳＢメモリ管理機器５１におけるその他の構成要素については、第１の実施形態のＵＳＢメモリ管理機器１１における構成要素と同様である。
【００７６】
「ＵＳＢメモリ本体部（対象）」
ＵＳＢメモリ本体部５２は、ＲＦＩＤタグ５８を内蔵している。ＲＦＩＤタグ５８は、ＵＳＢメモリ管理機器５１に備えられたＲＦＩＤリーダー５４によって所定の通信周期で通信される。なお、このときの通信周期は、ＵＳＢメモリ管理機器５１のタイマー回路部５５が、振動センサー５９によってＵＳＢメモリ管理機器５１の振動の有無を感知して、自動設定されたものである。
その他の点については、第１の実施形態におけるＵＳＢメモリ本体部１２と同様である。
【００７７】
「セキュリティ管理方法」
続いて、第３の実施形態であるセキュリティ管理システムおけるセキュリティ管理方法の処理動作について説明する。図６は、本実施形態におけるＵＳＢメモリ管理機器による処理動作の流れを示すフローチャート図である。
【００７８】
図６に示すように、ＵＳＢメモリ管理機器５１の電源を投入する（ステップＳ６１）。その後、タイマー回路部５５に備えられた振動センサー５９が、ＵＳＢメモリ管理機器５１の振動の有無を感知し（ステップＳ６２）、この振動センサー５９の検出信号によって周期を変更する。
【００７９】
ステップＳ６２において振動が感知されれば、ＵＳＢメモリ管理機器５１が移動中であると判断し、タイマー間隔が小さくなるようにタイマー値を自動設定する（ステップＳ６３）。ステップＳ６２において振動が感知されなければ、ＵＳＢメモリ管理機器５１が静止中であると判断し、タイマー間隔が大きくなるようにタイマー値を自動設定する（ステップＳ６４）。
【００８０】
ＲＦＩＤの通信周期が設定されると、一定周期のもとにＵＳＢメモリ本体管理機器５１に内蔵されているＲＦＩＤリーダー５４からＵＳＢメモリ本体部５２に内蔵されているＲＦＩＤタグ５８に送信を始め、ＲＦＩＤ通信が開始される（ステップＳ６５）。
【００８１】
ＲＦＩＤ通信が開始されると、ＲＦＩＤタグ５８とＲＦＩＤリーダー５４間におけるＲＦＩＤ通信の通信状態は、通信状態監視部５６によって常に監視しているものとする（ステップＳ６６）。なお、ＲＦＩＤ通信が開始後、ステップＳ６２に戻って、再び振動センサー５９がＵＳＢメモリ管理機器５１の振動の有無を感知し直すことができる。
【００８２】
次に、ステップＳ６７で、ＲＦＩＤ通信が可能な状態かどうかを判断する。なお、ここでＵＳＢメモリ管理機器５１とＵＳＢメモリ本体部５２の距離及びこれらが通信可能な通信エリアの半径については、第１の実施形態と同様に、それぞれｄ及びｒを用いる。
【００８３】
ステップＳ６７で、ＵＳＢメモリ管理機器５１とＵＳＢメモリ本体部５２の距離ｄが通信エリア内にある場合（ｄ≦ｒ）は、ＲＦＩＤ通信が可能な状態であると判断し、継続して通信を行い、ステップＳ６５に戻り一定の周期で同様の通信が繰り返される。
【００８４】
一方、ステップＳ６７で、ＵＳＢメモリ管理機器５１とＵＳＢメモリ本体部５２の距離ｄが通信エリア外となった場合（ｄ＞ｒ）は、ＲＦＩＤ通信が不可能な状態であると判断し、通信異常として検出する。そして、ステップＳ６８に移行してブザー回路部５７が作動し、ブザー音を発することにより紛失または盗難を未然に防ぐことが可能となる。
【００８５】
なお、タイマー値の設定はユーザーによって適宜設定できるものとする。このとき、ステップ６２において、振動センサー５９により所定以上の振動が検出された場合は周期を短くし、検出されない場合には周期を長くするように設定することが好ましい。例えば、ＵＳＢメモリ本体部５２が使用中のときは通信周期を長めに設定し、移動中のときは通信周期を短めに設定する。例えば、ＵＳＢメモリ本体部５２を使用中のときはタイマー値を１分に設定し、移動中はタイマー値を１秒に設定するなどユーザーが適切に設定変更することができる。
【００８６】
このように、セキュリティ管理の必要性が低いときは通信周期を自動的に短くすることで、手動による設定変更の煩わしさもなく、ＲＦＩＤリーダー５４及び通信状態監視部５６を間欠動作させて、電源消費を抑制できバッテリーの節約が可能となる。
【００８７】
以上、説明したように、本発明のセキュリティ管理システムによれば、セキュリティ管理装置が、無線タグと無線リーダーとの通信の状態を監視するとともに通信異常を検出する監視手段と、監視手段によって通信異常が検出された場合に警報を発する警報手段と、前記無線リーダー及び前記監視手段に電源を供給する電源部と、通信周期の設定変更が可能な周期変更手段と、を具備してなることにより、警報によって対象の紛失または盗難の危険性に気付くことができ、それらを未然に防ぐことが可能であるとともに、周期変更手段によって通信周期をユーザーが設定できるため、状況に応じたセキュリティ設定の調整が可能である。そのため、セキュリティ管理の必要性が低いときは通信周期を短くすることで、無線リーダーや監視手段を間欠動作でき、セキュリティ管理装置の電源消費を抑制できバッテリーの節約が可能となる。
【産業上の利用可能性】
【００８８】
本発明に係るセキュリティ管理システム、セキュリティ管理装置、及びセキュリティ管理方法は、特に携帯電話機などの可搬式機器をセキュリティ管理装置として用いるのに好適であり、各種携帯機器等の盗難や紛失を未然に防ぐために広く利用することができる。
【符号の説明】
【００８９】
１１、５１・・・ＵＳＢメモリ管理機器
１２、４２、５２・・・ＵＳＢメモリ本体部
１３・・・通信エリア
２３、４３、５３・・・電源部
２４、４４、５４・・・ＲＦＩＤリーダー
２５、４５、５５・・・タイマー回路部
２６、４６、５６・・・通信状態監視部
２７、４７、５７・・・ブザー回路部
２８、４８、５８・・・ＲＦＩＤタグ
４１・・・携帯電話
４９・・・状態表示部
５９・・・振動センサー
【図１】
2010224932.tif 000003
【図２】
2010224932.tif 000004
【図３】
2010224932.tif 000005
【図４】
2010224932.tif 000006
【図５】
2010224932.tif 000007
【図６】
2010224932.tif 000008